(57)【特許請求の範囲】
【請求項１】
軸の中央部から両端部に向かうにつれて拡径するテーパ形状の搬送ローラが、シャーシの挿入口から挿入されたディスクを載せて、当該軸を中心に回転して再生部へ搬送するディスク再生装置の異物除去具であって、
前記異物除去具は、
前記ディスクと同様に前記挿入口から挿入されて前記搬送ローラにより前記再生部へ搬送される、たわみのある板状部材から成り、
当該板状部材の、前記挿入口へ挿入される先端側であって前記搬送ローラと接する面に設けられた、前記シャーシ内の異物を接着する粘着部と、
前記搬送ローラの軸に平行な折り曲げ線に沿って、前記粘着部が前記再生部側に向くよう当該板状部材を折り曲げた曲げ部とを備えることを特徴とするディスク再生装置の異物除去具。
【請求項２】
異物除去具は、曲げ部から粘着部までの距離が、ディスク再生装置の搬送ローラから再生部のターンテーブルまでの距離または前記搬送ローラから当該再生部の光ピックアップまでの距離の内、より長い方の距離より長いことを特徴とする請求項１記載のディスク再生装置の異物除去具。
【請求項３】
異物除去具の板状部材は遮光性であることを特徴とする請求項１または請求項２記載のディスク再生装置の異物除去具。
【請求項４】
異物除去具は、ディスク再生装置の挿入口へ挿入される先端側の形状が、ディスクと略同じ円弧形状であることを特徴とする請求項１から請求項３のうちのいずれか１項記載のディスク再生装置の異物除去具。
【発明の詳細な説明】
【技術分野】
【０００１】
この発明は、ディスク再生装置内の異物を除去する異物除去具に関するものである。
【背景技術】
【０００２】
従来のディスク再生装置は、搬送ローラが回転してディスクを挿入口から再生部へ搬送し、また、搬送ローラが逆回転してディスクを再生部から挿入口へ搬送して排出する構成である。このディスク再生装置内にディスクより小さい異物（カード、コイン等）が入ると、搬送ローラから脱落して排出できなくなる。そこで、特許文献１に係るディスク搬送装置では、装置内に入った異物を搬送ローラまで搬送する補助搬送手段を設けて、搬送ローラに異物を再び載せて排出できるようにした。
【先行技術文献】
【特許文献】
【０００３】
【特許文献１】特開２００７−２０７３１２号公報
【発明の概要】
【発明が解決しようとする課題】
【０００４】
上記特許文献１のディスク搬送装置は以上のように構成されているので、異物が小さい場合、補助搬送手段の届かない位置に入ったり、補助搬送手段から搬送ローラへ届かず載せることができなかったりして、排出できない可能性があった。そのため、誤って挿入された異物により再生不良および動作不良を引き起こすという課題があった。
【０００５】
この発明は、上記のような課題を解決するためになされたもので、ディスク再生装置内の異物を除去する異物除去具を提供することを目的とする。
【課題を解決するための手段】
【０００６】
この発明に係るディスク再生装置の異物除去具は、ディスクと同様に挿入口から挿入されて搬送ローラにより再生部へ搬送される、たわみのある板状部材からなり、板状部材の、挿入口へ挿入される先端側であって搬送ローラと接する面に設けられた、シャーシ内の異物を接着する粘着部と、搬送ローラの軸に平行な折り曲げ線に沿って、粘着部が再生部側に向くよう板状部材を折り曲げた曲げ部とを備えるものである。
【発明の効果】
【０００７】
この発明によれば、ディスク再生装置の通常のディスク挿入動作により、異物除去具が粘着部を設けた先端側から挿入されて再生部へ搬送され、曲げ部が搬送ローラに到達すると異物除去具が傾いて、たわみながら粘着部が再生部の面上の異物に押し付いて接着し、通常のディスク排出動作で排出されるようにしたので、ディスク再生装置内の異物を除去することができる。
【図面の簡単な説明】
【０００８】
【図１】この発明の実施の形態１に係る異物除去具の構成を示し、図１（ａ）は平面図、図１（ｂ）はＡＡ線に沿って切断した断面図である。
【図２】ディスク再生装置の内部構造の一例を示す側面図である。
【図３】実施の形態１に係る異物除去具を、ディスク再生装置に挿入したときの挿入口側から見た状態を示す図である。
【図４】実施の形態１に係る異物除去具を、ディスク再生装置に挿入したときの状態を示す側面図であり、曲げ部が搬送ローラを過ぎる前の状態を示す。
【図５】実施の形態１に係る異物除去具を、ディスク再生装置に挿入したときの状態を示す側面図であり、曲げ部が搬送ローラを過ぎた後の状態を示す。
【図６】実施の形態１に係る異物除去具とディスク再生装置の変形例を示す平面図である。
【図７】実施の形態１に係る異物除去具の変形例を示す平面図である。
【発明を実施するための形態】
【０００９】
実施の形態１．
図１に示すように、異物除去具１はたわむ材質の板状部材から成り、一辺が円弧状に形成されてその片面が粘着部２になっている。また、粘着部２を設けた面が内側になるように板状部材を折り曲げて、曲げ部３が形成されている。
たわむ材質の板状部材としては、ポリスチレン、ポリカーボネートなどを用いればよい。また、円弧の形状は、ＣＤ（Ｃｏｍｐａｃｔ  Ｄｉｓｃ）およびＤＶＤ（Ｄｉｇｉｔａｌ  Ｖｅｒｓａｔｉｌｅ  Ｄｉｓｃ）などの円弧形状と略同じとする。
【００１０】
図２は、従来のディスク再生装置１０の一例を示す側面図であり、シャーシ１１を切断して内部構造を示している。シャーシ１１に、ＣＤおよびＤＶＤなどのディスク２０を挿脱する挿入口１２が形成されている。また、このシャーシ１１の内部には搬送ローラ１３が回転自在に保持されており、この搬送ローラ１３が回転して、挿入口１２から挿入されたディスク２０を載せて再生部１５へ搬送する。このとき、シャーシ１１の天面内側に設けられたディスクガイド部品１４が、搬送ローラ１３との間にディスク２０を挟むようにしてガイドする。ディスク２０が再生位置まで搬送されると、不図示の駆動機構により搬送ローラ１３が下方の再生部１５側へ移動し、図２に二点鎖線で示すようにディスク２０がターンテーブル１６に載置される。
再生部１５は、ディスク２０を回転させるターンテーブル１６の他、図示は省略するがディスク２０をターンテーブル１６上に保持するクランパ、ディスク２０の情報再生および情報記録を行う光ピックアップなどを備える。
ディスク２０を排出するときは、不図示の駆動機構により搬送ローラ１３がディスク２０を載せて上方のディスクガイド部品１４側へ移動し、搬送ローラ１３が逆回転してディスク２０を再生部１５から挿入口１２へ搬送し排出する。
【００１１】
ディスク再生装置１０は、図２に示すように角度θだけ傾斜させ、挿入口１２が上を向いた姿勢で設置される。そのため、挿入口１２からシャーシ１１の内部へ誤って挿入された異物２１は、再生部１５の面上の、シャーシ１１の奥側に集まる。カード、コイン、シール、紙くずといった異物２１がディスク２０より小さい場合、搬送ローラ１３から脱落してしまうので、排出することができない。また、この異物２１により、ディスク再生装置１０の再生不良および動作不良が起こる可能性がある。
そこで、異物除去具１を用いて異物２１を除去する。異物除去具１は、粘着部２を設けた面を下にして搬送ローラ１３と再生部１５の側へ向け、粘着部２を設けた先端側から挿入口１２へ挿入される。
【００１２】
図３は、異物除去具１をディスク再生装置１０に挿入したときの挿入口１２側から見た状態を示す図である。この異物除去具１は、図１に示すＡ’−Ａ’線の位置で切断された断面を示している。また、図３ではシャーシ１１等の図示を省略している。挿入口１２から挿入された異物除去具１は、搬送ローラ１３に載って再生部１５へ搬送される。搬送ローラ１３は、軸１３ａの中央部から両端部に向かうにつれて拡径するテーパ形状１３ｂであるため、異物除去具１と搬送ローラ１３とはエッジで接触する。そのため、粘着部２は搬送ローラ１３に貼り付くことなく、シャーシ１１の内部へ搬送される。
なお、異物２１を接着するための面積は小さくなるが、粘着部２を異物除去具１より一回り小さくして、異物除去具１と搬送ローラ１３とをエッジ接触させ貼り付きを防止してもよい。
【００１３】
図４および図５は、異物除去具１をディスク再生装置１０に挿入したときの状態を示す側面図である。挿入口１２から挿入された異物除去具１は、曲げ部３が搬送ローラ１３に到達するまで、通常のディスク２０の挿入時と同じ軌跡で搬送される。異物除去具１は上面からディスクガイド部品１４に、下面から搬送ローラ１３に挟持されて搬送されるので、粘着部２が再生部１５に接触することなくシャーシ１１の奥側へ進む。
【００１４】
曲げ部３が搬送ローラ１３を過ぎると、この曲げ部３より後方部分が搬送ローラ１３とディスクガイド部品１４に挟持されるので異物除去具１の姿勢が変わり、図５に矢印Ｂで示すように、曲げ部３より前方部分が再生部１５の方向へ近づいて先端の粘着部２を再生部１５の面上の異物２１に押し付け、接着する。また、異物除去具１がたわむことで、粘着部２と異物２１の接触面積が増え、接着し易くなる。なお、異物除去具１の姿勢が変わったときにターンテーブル１６や光ピックアップ２２（図６）等の部品に接着しないように、曲げ部３から粘着部２までの距離を、搬送ローラ１３からターンテーブル１６までの距離、または搬送ローラ１３から光ピックアップ２２までの距離の内、より長い方の距離より長くしておくことが望ましい。これにより、粘着部２がターンテーブル１６、および光ピックアップ２２を通り過ぎた位置で、曲げ部３が搬送ローラ１３に載って姿勢が変わり、粘着部２が再生部１５の面上に接触するようになる。
その後、通常のディスク排出動作により、搬送ローラ１３が異物除去具１と異物２１とを一緒に搬送し、挿入口１２から排出する。
【００１５】
以上より、実施の形態１によれば、異物除去具１は、ディスク２０と同様にディスク再生装置１０の挿入口１２から挿入されて搬送ローラ１３により再生部１５へ搬送される、たわみのある板状部材から成り、この板状部材の、挿入口１２へ挿入される先端側であって搬送ローラ１３と接する面に設けられた、シャーシ１１内の異物２１を接着する粘着部２と、搬送ローラ１３の軸１３ａに平行な折り曲げ線に沿って、粘着部２が再生部１５側に向くよう板状部材を折り曲げた曲げ部３とを備えるように構成した。このため、ディスク再生装置１０の通常のディスク挿入動作により、曲げ部３が搬送ローラ１３に到達すると異物除去具１が傾いて、たわみながら粘着部２が再生部１５の面上の異物２１に押し付き、接着することができる。また、ディスク再生装置１０の通常のディスク排出動作により、異物除去具１が異物２１と一緒に排出されるので、ディスク再生装置１０から異物を除去することができる。
【００１６】
また、実施の形態１によれば、異物除去具１は、曲げ部３から粘着部２までの距離を、ディスク再生装置１０の搬送ローラ１３から再生部１５のターンテーブル１６または光ピックアップ２２までの距離の内、より長い方の距離より長くする構成にした。このため、ターンテーブル１６および光ピックアップ２２に粘着部２が接着することを防止できる。
【００１７】
また、実施の形態１によれば、異物除去具１の先端側をディスク２０と同じ略円弧状に形成したので、ディスク再生装置１０の構造に関係なく異物除去具１を使用することができ、汎用性が高い。
ただし、異物除去具１の形状を、ディスク再生装置１０の構造に合わせて変形してもよい。以下、変形例を説明する。
図６は、ディスク再生装置１０と異物除去具１の変形例を示す平面図である。なお、図６ではシャーシ１１の図示を省略している。再生部１５の挿入口１２側には、ディスク２０の挿入を検知する挿入検知レバー１７が一対設けられている。これら挿入検知レバー１７は、軸１７ａを中心に回動自在に取り付けられており、ディスク２０の円弧状の縁部に沿って矢印Ｃの左右方向へ開いてディスク２０を挿入可能にする。
この構造の場合、図１に示す先端円弧状の異物除去具１であれば、ディスク２０と同じように一対の挿入検知レバー１７を押し広げて挿入できる。
また、図６に示す異物除去具１のように、円弧部分に、一対の挿入検知レバー１７の幅より狭い凸部４を形成してもよい。凸部４があっても、その両端の円弧部分で挿入検知レバー１７を押し広げて挿入できる。さらに、凸部４にも粘着部２を設ければ、異物２１を接着する面積を広くできる。
【００１８】
また、図６に示すディスク再生装置１０のように、再生部１５の奥側に、ディスク２０の搬送を止めるストッパ１８が突設されている場合、図１および図６に示す異物除去具１のように先端側がディスク２０と略同じ円弧形状になっていれば、その円弧部分でストッパ１８に当接することができる。よって、異物除去具１を挿入しても、ディスク再生装置１０に通常のディスク挿入動作を行わせることができる。
【００１９】
また、挿入検知レバー１７は無く、ストッパ１８があるディスク再生装置１０に対しては、図７に示す異物除去具１の変形例のように、先端側の一方の角部を円弧形状にし、もう一方の角部はそのまま残して左右非対称に形成してもよい。この構成の場合、ディスク再生装置１０に通常のディスク挿入動作を行わせることができ、さらに、粘着部２の接着面積を広くすることができる。
また、挿入検知レバー１７、ストッパ１８といった障害物が無ければ、異物除去具１の先端側の両角部をそのまま残して長方形にしてもよい（不図示）。この構成の場合、粘着部２の接着面積をさらに広くすることができる。
【００２０】
また、挿入検知レバー１７およびストッパ１８の代わりに光センサを用いてディスク２０を検知する構造のディスク再生装置１０に対しては、遮光性の板状部材（例えば、黒色の板状部材）で異物除去具１を構成すればよい。これにより、異物除去具１が光センサの光を遮断して、ディスク再生装置１０に通常のディスク挿入動作を行わせることができる。
【００２１】
なお、図示例ではディスク再生装置１０が角度θだけ傾斜した姿勢であったが、水平姿勢であっても構わない。
【００２２】
さらに、上記変形例以外にも、本願発明はその発明の範囲内において、実施の形態の任意の構成要素の変形、もしくは実施の形態の任意の構成要素の省略が可能である。
【符号の説明】
【００２３】
１  異物除去具、２  粘着部、３  曲げ部、４  凸部、１０  ディスク再生装置、１１  シャーシ、１２  挿入口、１３  搬送ローラ、１３ａ  軸、１３ｂ  テーパ形状、１４  ディスクガイド部品、１５  再生部、１６  ターンテーブル、１７  挿入検知レバー、１７ａ  軸、１８  ストッパ、２０  ディスク、２１  異物、２２  光ピックアップ。
【図１】
0005546515.tif 000002
【図２】
0005546515.tif 000003
【図３】
0005546515.tif 000004
【図４】
0005546515.tif 000005
【図５】
0005546515.tif 000006
【図６】
0005546515.tif 000007
【図７】
0005546515.tif 000008